(57)【特許請求の範囲】
【請求項１】
取付体に被取付体を取付具で支持する照明器具において、取付具を弾性を有する板材で略台形に構成すると共に同取付具の両端に被取付体へ掛合する支持片を形成し、また取付具は、ネジ先案内付貫通孔を有する底板と、第１係止用貫通孔を有し底板の上部に位置する第１の折曲片と、第２係止用貫通孔を有し第１の折曲片の上部に位置する第２の折曲片を有して構成し、ネジ先案内付貫通孔、第１係止用貫通孔、第２係止用貫通孔と順次ネジを差込み、第１係止用貫通孔を構成する第１の折曲片の周縁と、第２係止用貫通孔を構成する第２の折曲片の周縁とでネジを掛合し、ネジの頭部に掛合した取付体を支持するように構成したことを特徴とする照明器具。
【請求項２】
取付体に被取付体を取付具で支持する照明器具において、取付具を弾性を有する板材で略台形に構成すると共に同取付具の両端に被取付体へ掛合する支持片を形成し、また取付具は、ネジ先案内付貫通孔を有する底板と、底板の上部に位置し、ネジの側部を押圧する押圧片と、押圧片の上部に位置し、係止用貫通孔を有する折曲片を有して構成し、ネジ先案内付貫通孔、押圧片の側部、係止用貫通孔と順次ネジを差込み、押圧片と係止用貫通孔を構成する折曲片の周縁とでネジを掛合し、ネジの頭部に掛合した取付体を支持するように構成したことを特徴とする照明器具。
【請求項３】
取付体に被取付体を取付具で支持する照明器具において、取付具を弾性を有する板材で略台形に構成すると共に同取付具の両端に被取付体へ掛合する支持片を形成し、また取付具は、ネジ先案内付貫通孔を有する底板と、底板の上部に位置し、係止用貫通孔を有する折曲片と、折曲片の上部に位置し、ネジの側部を押圧する押圧片とを有して構成し、ネジ先案内付貫通孔、係止用貫通孔、押圧片の側部と順次ネジを差込み、係止用貫通孔を構成する折曲片の周縁と押圧片とでネジを掛合し、ネジの頭部に掛合した取付体を支持するように構成したことを特徴とする照明器具。
【請求項４】
取付体に被取付体を取付具で支持する照明器具において、取付具は弾性を有する板材で底板から二辺を上方に向かって幅広に構成し、また同取付具の底板に案内付貫通孔を構成し、また板状の二辺の壁面を内方に折曲て、第１係止用貫通孔を有し底板の上部に位置する第１の折曲片と、第２係止用貫通孔を有し第１の折曲片の上部に位置する第２の折曲片を有して構成し、ネジ先案内付貫通孔、第１係止用貫通孔、第２係止用貫通孔と順次ネジを差込み、第１係止用貫通孔を構成する第１の折曲片の周縁と、第２係止用貫通孔を構成する第２の折曲片の周縁とでネジを掛合し、ネジの頭部に掛合した取付体を支持するように構成したことを特徴とする照明器具。
【発明の詳細な説明】
【０００１】
【発明の属する技術分野】
本発明は照明器具の改良に関する。
【０００２】
【従来の技術】
従来、例えば蛍光灯照明器具では、蛍光灯照明器具本体に対する反射体やルーバの取付けるには、通常は複数本のネジを用いて締め付けている。
【０００３】
【発明が解決しようとする課題】
しかし、上記した構造の照明器具によると、取付けに複数のネジを用いるので、取付けに手数を要する欠点がある。
【０００４】
本発明は、上記の点に鑑み発明したものであって、ネジの締付けを行わず取付具に挿入するだけで蛍光灯照明器具本体に反射体やルーバを容易且つ確実に支持することができる照明器具を提供することを目的とする。
【０００５】
【課題を解決するための手段】
本発明は上記した課題を解決するために次の構成とする。請求項１に記載の発明は、取付体に被取付体を取付具で支持する照明器具に関し、取付具を弾性を有する板材で略台形に構成すると共に同取付具の両端に被取付体へ掛合する支持片を形成して構成してある。
また取付具は、ネジ先案内付貫通孔を有する底板と、第１係止用貫通孔を有し底板の上部に位置する第１の折曲片と、第２係止用貫通孔を有し第１の折曲片の上部に位置する第２の折曲片を有して構成してある。
そしてネジ先案内付貫通孔、第１係止用貫通孔、第２係止用貫通孔と順次ネジを差込み、第１係止用貫通孔を構成する第１の折曲片の周縁と、第２係止用貫通孔を構成する第２の折曲片の周縁とでネジを掛合し、ネジの頭部に掛合した取付体を支持するように構成してある。
【０００６】
請求項２に記載の発明は、取付体に被取付体を取付具で支持する照明器具に関し、取付具を弾性を有する板材で略台形に構成すると共に同取付具の両端に被取付体へ掛合する支持片を形成してある。
また取付具は、ネジ先案内付貫通孔を有する底板と、底板の上部に位置し、ネジの側部を押圧する押圧片と、押圧片の上部に位置し、係止用貫通孔を有する折曲片を有して構成してある。
そしてネジ先案内付貫通孔、押圧片の側部、係止用貫通孔と順次ネジを差込み、押圧片と係止用貫通孔を構成する折曲片の周縁とでネジを掛合し、ネジの頭部に掛合した取付体を支持するように構成してある。
【０００７】
請求項３に記載の発明は、取付体に被取付体を取付具で支持する照明器具に関し、取付具を弾性を有する板材で略台形に構成すると共に同取付具の両端に被取付体へ掛合する支持片を形成して構成してある。
また取付具は、ネジ先案内付貫通孔を有する底板と、底板の上部に位置し、係止用貫通孔を有する折曲片と、折曲片の上部に位置し、ネジの側部を押圧する押圧片とを有して構成してある。
そしてネジ先案内付貫通孔、係止用貫通孔、押圧片の側部と順次ネジを差込み、係止用貫通孔を構成する折曲片の周縁と押圧片とでネジを掛合し、ネジの頭部に掛合した取付体を支持するように構成してある。
【０００８】
請求項４に記載の発明は、取付体に被取付体を取付具で支持する照明器具に関し、取付具は弾性を有する板材で底板から二辺を上方に向かって幅広に構成してある。
また同取付具の底板に案内付貫通孔を構成し、また板状の二辺の壁面を内方に折曲て、第１係止用貫通孔を有し底板の上部に位置する第１の折曲片と、第２係止用貫通孔を有し第１の折曲片の上部に位置する第２の折曲片を有して構成してある。
そしてネジ先案内付貫通孔、第１係止用貫通孔、第２係止用貫通孔と順次ネジを差込み、第１係止用貫通孔を構成する第１の折曲片の周縁と、第２係止用貫通孔を構成する第２の折曲片の周縁とでネジを掛合し、ネジの頭部に掛合した取付体を支持するように構成してある。
【０００９】
【発明の実施の形態】
以下本発明を図１乃至図１１について説明する。図１に示す構造は、蛍光灯照明器具等の被取付体に、取付体である反射板を取付具で支持したときの構造を示し、埋込形の蛍光灯照明器具本体１と、支持具２と、ソケット４と、反射板５と、
取付具６を有し、建物の天井面３に支持具２に支持してなる蛍光灯照明器具本体１を埋込み支持し、さらに蛍光灯照明器具本体１に反射板５を取付具６で掛合支持して構成してある。同取付具６は蛍光灯照明器具本体１の長手方向の両端近傍の二個所で支持して構成してある。
【００１０】
図２に示す構造のものは、いわゆるＶ字形の蛍光灯照明器具であって、１１は蛍光灯照明器具本体、１５は反射板、１６は取付具、１７はネジを有し、取付具１６の上端を蛍光灯照明器具本体１１に支持し、また取付具１６の下端に反射板１５の底部を近接させ、さらにネジ１７の頭部に反射板を掛合し後、ネジ１７を取付具１６に圧入することにより、蛍光灯照明器具本体１１に反射板１５を支持して構成してある。
【００１１】
図３に示す構造のものは、埋込形の蛍光灯照明器具にルーバを支持したときの構造を示し、蛍光灯照明器具本体２１、反射板２５、取付具２６、ネジ２７と、
ルーバ２８と、ルーバ取付具２９を有し、蛍光灯照明器具本体２１に反射板２５を支持し、また取付具２６の下端に、ルーバ２８を支持してなるルーバ取付具２９を支持して構成してある。
【００１２】
次に上記した取付具を具体的に説明する。
図４及び図５において、３１は取付具であって、弾性を有する板材、例えばステンレスバネ材で略台形に構成してある。３２は取付具３１の両端に突出して形成した支持片であって、被取付体へ掛合するし得るように構成してある。
３３は取付具の底板３４に構成してなるネジ先案内付貫通孔であって、ネジを上方に案内するように構成してある。３５底板３４の上部に位置する第１の折曲片であって、第１係止用貫通孔３６を有して構成してある。
３７は第１の折曲片３５の上部に位置する第２の折曲片であって、第２係止用貫通孔３８を有して構成してある。
そしてネジ先案内付貫通孔３３、第１係止用貫通孔３６、第２係止用貫通孔３８と順次ネジを差込み、第１係止用貫通孔３６を構成する第１の折曲片３５の周縁と、第２係止用貫通孔３８を構成する第２の折曲片３７の周縁とでネジを掛合し、ネジの頭部に掛合した反射板あるいはルーバ等の取付体を支持する。
上記した構造の取付具によると、一定以上締込むと第１の折曲片と、第２の折曲片が一次的に水平に近づきネジとの当接が解除され、元の位置に戻り、被取付体の肉厚が薄い場合、従来のネジを用いる構造のように、締めすぎによる変形が生じることがない。
【００１３】
図６及び図７に示す構造は、他の取付具を示す。図６及び図７において、４１は取付具であって、取付具４１を弾性を有する板材で略台形に構成すると共に同取付具の両端に被取付体へ掛合する支持片４２を形成してある。
また取付具４１は、ネジ先案内付貫通孔４３を有する底板４４と、底板の上部に位置し、ネジの側部を押圧する押圧片４５と、押圧片４５の上部に位置し、係止用貫通孔４６を有する折曲片４７を有して構成してある。
そしてネジ先案内付貫通孔４３、押圧片４５の側部、係止用貫通孔４６と順次ネジ４８を差込み、押圧片４５と係止用貫通孔４６を構成する折曲片４７の周縁とでネジを掛合し、ネジの頭部に掛合した取付体を支持するように構成してある。
【００１４】
図８及び図９に示す構造は、他の取付具を示す。図８及び図９において、５１は取付具であって、取付具を弾性を有する板材で略台形に構成すると共に同取付具の両端に被取付体へ掛合する支持片５２を形成して構成してある。
また取付具５１は、ネジ先案内付貫通孔５３を有する底板５４と、底板の上部に位置し、係止用貫通孔５５を有する折曲片５６と、折曲片５６の上部に位置し、ネジの側部を押圧する押圧片５７とを有して構成してある。
そしてネジ先案内付貫通孔５３、係止用貫通孔５５、押圧片の側部と順次ネジを差込み、係止用貫通孔５５を構成する折曲片５６の周縁と押圧片５７とでネジ５８を掛合し、ネジの頭部に掛合した取付体を支持するように構成してある。
【００１５】
図１０及び図１１に示す構造は、図２に示す照明器具の取付具を示す。図１０及び図１１において、６１は取付具であって、弾性を有する板材で底板６２から二辺６３，６４を上方に向かって幅広に一体的に構成してある。６５，６６は二辺６３，６４の上部先端に一体的に構成してなる掛合片である。
６７は取付具の底板６２に形成した案内付貫通孔であって、ネジを上方に案内する。６８は板状の二辺の壁面を内方に折曲て形成した第１の折曲片であって、第１係止用貫通孔６９を有し底板６２の上部に位置して構成してある。７０は第１の折曲片の上部に位置する第２の折曲片であって、第２係止用貫通孔７１を有しを有して構成してある。
そしてネジ先案内付貫通孔６７、第１係止用貫通孔６９、第２係止用貫通孔７１と順次ネジを差込み、第１係止用貫通孔６９を構成する第１の折曲片６８の周縁と、第２係止用貫通孔７１を構成する第２の折曲片７０の周縁とでネジを掛合し、ネジ７２の頭部に掛合した取付体を支持するように構成してある。
【００１６】
【発明の効果】
請求項１乃至請求項４に記載の本発明によると、ネジを締込む手間が省け、また締め過ぎによる反射板の変形を防止でき、さらに簡単且つ確実に反射体やルーバを支持することができる特別な効果がある。
【図面の簡単な説明】
【図１】本発明に係る被取付体に取付体を支持したときの側面図。
【図２】本発明に係る他の被取付体に取付体を支持したときの側面図。
【図３】本発明に係る他の被取付体に取付体を支持したときの側面図。
【図４】本発明に係る取付具の斜視図。
【図５】図４の取付具の側面図。
【図６】本発明に係る他の取付具の斜視図。
【図７】図６の取付具の側面図。
【図８】本発明に係る他の取付具の斜視図。
【図９】図８の取付具の側面図。
【図１０】本発明に係る他の取付具の斜視図。
【図１１】図１０の取付具の側面図。
【符号の説明】
１  蛍光灯照明器具本体
２  支持具
４  ソケット
５  反射板
６  取付具
１１  蛍光灯照明器具本体
１５  反射板
１６  取付具
１７  ネジ
２１  蛍光灯照明器具本体
２５  反射板
２６  取付具
２７  ネジ
２８  ルーバ
２９  ルーバ取付具
３１  取付具
３２  支持片
３３  ネジ先案内付貫通孔
３４  底板
３５  第１の折曲片
３６  第１係止用貫通孔
３７  第２の折曲片
３８  第２係止用貫通孔
４１  取付具
４２  支持片
４３  ネジ先案内付貫通孔
４４  底板
４５  押圧片
４７  折曲片
４８  ネジ
５１  取付具
５２  支持片
５３  ネジ先案内付貫通孔
５４  底板
５５  係止用貫通孔
５６  折曲片
５７  押圧片
６１  取付具
６２  底板
６５，６６  掛合片
６７  案内付貫通孔
６８  第１の折曲片
６９  第１係止用貫通孔
７０  第２の折曲片
７１  第２係止用貫通孔
【図１】
0004038855.tif 000002
【図２】
0004038855.tif 000003
【図３】
0004038855.tif 000004
【図４】
0004038855.tif 000005
【図５】
0004038855.tif 000006
【図６】
0004038855.tif 000007
【図７】
0004038855.tif 000008
【図８】
0004038855.tif 000009
【図９】
0004038855.tif 000010
【図１０】
0004038855.tif 000011
【図１１】
0004038855.tif 000012